(57)【要約】【課題】横方向ラップ部を有する脚部付き建材において、側面に印字された製品情報の読み取りが容易で、保管や運搬を効率良く行える建材を提供する。【解決手段】長方形の平板部２と、該平板部２の一方の短辺側より平板部に平行に突出し、表面が該平板部２の裏面の高さに位置する横方向ラップ部４と、該平板部２の一方の長辺より垂下する垂部３と、他方の長辺近傍であって平板部２の裏面に複数の脚部７を有し、該脚部７の少なくとも一対が横方向ラップ部４を含む長手方向の中心から左右等距離の位置となるように該脚部７を付設する。【選択図】図２
2008127934.tif 000002
【特許請求の範囲】
【請求項１】
長方形の平板部と、該平板部の一方の短辺側より平板部に平行に突出し、表面が該平板部の裏面の高さと等しいかそれよりも低い横方向ラップ部と、該平板部の一方の長辺より垂下する垂部と、他方の長辺近傍であって平板部の裏面に複数の脚部を有し、該脚部の少なくとも一対が横方向ラップ部を含む長手方向の中心から左右等距離の位置にあることを特徴とする脚部付き建材。
【請求項２】
平板部表面から垂部下端までの長さと、平板部表面から脚部下端までの長さが等しい請求項１に記載の脚部付き建材。
【請求項３】
上記横方向ラップ部を含む長手方向の中心から左右等距離の位置にある脚部の少なくとも一対の、上記長手方向中心からの距離が該長手方向の長さの１／４以上である請求項１又は２に記載の脚部付き建材。
【発明の詳細な説明】
【技術分野】
【０００１】
本発明は、建物の屋根や外壁、内壁に用いられる建材に関する。
【背景技術】
【０００２】
建物の屋根材や外壁の外装部材、内壁の内装部材として、特許文献１に開示された脚部付きの屋根材が知られている。従来の脚部付きの建材は、図１０に示すように、長方形の平板部２と、該平板部２の一方の短辺側より突出する横方向ラップ部４と、一方の長辺より垂下する垂部３と、平板部２の裏面側において、他方の長辺近傍に位置する複数の脚部７を有している。図中、（ａ）はかかる建材を裏面から見た図、（ｂ）は脚部７を備えた長辺側から見た図である。また、（ｃ）は２枚の建材を裏面同士を相対して重ね合わせた状態の側面図であり、便宜上、垂部３を省略している。
【０００３】
図１０（ａ）に示されるように、従来の脚部付き建材においては、平板部２の長手方向の中心から左右に等しい距離（Ｄ，Ｅ）にそれぞれ脚部７を有していた。
【０００４】
【特許文献１】特開２００２−２７６０７９号公報
【発明の開示】
【発明が解決しようとする課題】
【０００５】
しかしながら、図１０の示した従来の脚部付き建材は、垂部３同士をつき合わせるように２枚の建材を裏面同士を相対して外周を一致させて重ねた際に、横方向ラップ部４の長さだけ長手方向にずれが生じるため、図１０（ｃ）に示すように、脚部７の位置が互い違いになり、この２枚一組の状態で複数組を積み上げようとすると、図１１に示すように、荷姿が直方体状にならず、保管や運搬の際に不便であった。
【０００６】
例えば、図１０（ｃ）の状態でバンド掛けしたものを梱包単位として、保管場所や運搬荷台上に並べると、梱包単位間に無駄な空間が生じ、保管や運搬の効率が悪かった。また、梱包単位の上面が傾斜しているため、梱包単位の上にさらに別の梱包単位を載せることができず、載せたとしても図１１の如く上面の傾斜が増すだけであり、極めて不安定であった。また、図１２に示すように梱包単位を脚部の位置が順次逆になるように、平面方向で１８０°回転させながら積み重ねた場合、積層作業や開梱作業が繁雑になる上、どの側面においても梱包単位毎に向きが逆になるため、側面に印字された製品情報を読み取りにくいという問題があった。
【０００７】
さらに、図１３に示すように、建材を全て同じ向きで積み重ねた場合には直方体状に梱包することが可能であるが、脚部や垂部の下端が下方の建材の平板部表面に接触するため、建材間に合紙などを挟んだとしても該平板部の表面に傷が付きやすいという問題があった。
【０００８】
本発明の課題は、横方向ラップ部を有する脚部付き建材において、側面に印字された製品情報の読み取りが容易で、保管や運搬を効率良く行える建材を提供することにあり、具体的には、２枚の建材を垂部同士をつき合わせるように裏面同士を相対して重ねて直方体状に梱包することが可能な脚部付き建材を提供することにある。
【課題を解決するための手段】
【０００９】
本発明は、長方形の平板部と、該平板部の一方の短辺側より平板部に平行に突出し、表面が該平板部の裏面の高さと等しいかそれよりも低い横方向ラップ部と、該平板部の一方の長辺より垂下する垂部と、他方の長辺近傍であって平板部の裏面に複数の脚部を有し、該脚部の少なくとも一対が横方向ラップ部を含む長手方向の中心から左右等距離の位置にあることを特徴とする脚部付き建材である。
【００１０】
本発明においては、平板部表面から垂部下端までの長さと、平板部表面から脚部下端までの長さが等しいことが好ましい。
【００１１】
また、本発明においては、上記横方向ラップ部を含む長手方向の中心から左右等距離の位置にある一対の脚部の、上記長手方向中心からの距離が該長手方向の長さの１／４以上であることが好ましい。
【発明の効果】
【００１２】
本発明によれば、２枚の建材を垂部同士をつき合わせるように裏面同士を相対して重ね合わせて直方体状の梱包単位を構成することができるため、保管や輸送を効率良く行うことができ、また、複数の梱包単位を安定して積み重ねることができる上、積み重ねた梱包単位の全ての建材の側面に印字された製品情報が同じ方向を向くため、製品管理も容易に行うことができる。
【発明を実施するための最良の形態】
【００１３】
図１に本発明の脚部付き建材１の好ましい実施形態の斜視図を、図２（ａ）に平面図を、図２（ｂ）に裏面図を、図２（ｃ）に脚部側から見た側面図をそれぞれ示す。本発明の建材１は、図１、図２に示すように、長方形の平板部２と、該平板部２の一方の短辺側より突出する横方向ラップ部４と、該平板部２の一方の長辺より垂下する垂部３と、他方の長辺近傍であって平板部２の裏面に設けられた複数の脚部７を有している。尚、図１においては、横方向ラップ部４を、平板部２の左側に設けているが、右側に設けてもよい。
【００１４】
横方向ラップ部４は、平板部２に平行に突出しており、横方向ラップ部４の表面が平板部２の裏面の高さに等しいかそれよりも低い位置に位置するように、平板部２の厚さ分以上低い位置に設けられている。よって、かかる建材１を屋根或いは壁面に取り付ける際には、建材の長手方向に隣接する２枚の建材において、一方の建材の横方向ラップ部４が他方の建材の平板部２の下方の空間に入り込んで、該横方向ラップ部４と平板部２の端部とが重なり合う。
【００１５】
本例は横方向ラップ部４の表面が平板部２の裏面の高さに等しい形態であり、図１４（ａ）に示すように、隣接する２枚の建材の隣接部分においては、紙面左側の建材の平板部２ｂが紙面右側の建材の横方向ラップ部４ａの上に重なり合う。本発明においては、特にこの形態に限定されるものではなく、例えば、図１４（ｂ）に示すように、平板部２ａに連結されている側の横方向ラップ部４ａの表面が平板部２ａの裏面の高さよりも低くなるように形成し、該横方向ラップ部４ａの平板部２ａに連結されていない側（紙面左側）の端部に上端が平板部２ａの裏面の高さに相当する突出部を、さらに平板部２ｂ（２ａも同様）の、横方向ラップ部（不図示）が連結されていない側（紙面右側）の端部に下端が横方向ラップ部４ａの表面に相当する突出部を、それぞれ形成することにより、隣接する２枚の建材の平板部２ｂの端部と横方向ラップ部４ａとが、所定の空間をあけて重なり合う形態としても良い。この場合、いずれか一方が他方より離れる方向にずれたとしても、上記突出部が互いに係合して完全に離脱する恐れが無くなり、施工作業上好ましい。また、横方向ラップ部４ａの端部の突出部により、互いに隣接する屋根材の平板部２ａと２ｂの境界から侵入した雨水が屋根材の下方に流れ込むのを堰き止めて、該雨水を軒側に排出することができる。
【００１６】
本発明の建材１においては、平板部２の裏面の垂部３がない側の長辺近傍に付した複数の脚部７のうち少なくとも一対の脚部７が、横方向ラップ部４を含む長辺側の中心から左右等距離の位置にあり、図２の例においては、横方向ラップ部４を含む長手方向の中心から左右等距離（Ａ，Ｂ）の位置にそれぞれ１個、合計で２対の脚部７を有する。また、図２の例では、横方向ラップ部４を含む長手方向の中心にも脚部７を有する。
【００１７】
図３は図１の建材１を横方向ラップ部４がない側の平板部２の短辺側から見た側面図であるが、本発明においては図３に示されるように、平板部２の表面から垂部３の下端までの距離ｔ1が平板部２の表面から脚部７の下端までの距離ｔ2に等しいことが望ましい。
【００１８】
このような構成の建材１を２枚、互いの垂部３同士がつき合わさるように裏面同士を相対して外周を一致させて重ね合わせた状態を図４に示す。図４（ａ）は長手方向から、（ｂ）は短辺側から見た側面図であり、図４（ａ）においては垂部３を、図４（ｂ）においては横方向ラップ部４を、便宜上省略する。図４（ａ）に示すように、本発明の建材１を２枚重ね合わせると、互いの脚部７の下端同士がつき合わさる。また、上記したように、図３におけるｔ1＝ｔ2であると、図４（ｂ）に示すように垂部３側と脚部７側の高さが一致するため、２枚一組で直方体状の梱包単位が構成される。
【００１９】
かかる梱包単位は直方体状となり高さが一定であるため、図５に示すように、水平面上に同じ向きで且つ安定して積み重ねることができる。また、積み重ねた状態でも直方体状であり、この状態でいずれを上に向けても直方体状となるため保管や運搬を効率良く行うことができる。また、平板部２の損傷や汚染を防止するために、平板部２同士が相対するように２枚の建材を重ねた状態を梱包単位として複数の梱包単位を積み重ねることにより、最も外側の建材は脚部が外側に向くように配置しても良い。
【００２０】
また、重なり合う建材間に合紙を挟むことにより、保管や運搬の際に互いに擦れることによる汚染や損傷を防止することができる。尚、合紙としては紙や段ボールなどの他、ポリエチレン、発泡ポリエチレン、発泡ポリスチレン、発泡ウレタンなどの樹脂シートが好ましく用いられる。
【００２１】
尚、本発明の建材において、横方向ラップ部４を含む長手方向の中心から等距離にある脚部７は少なくとも一対であれば良く、また、かかる脚部７の少なくとも一対が、該中心から該長手方向の長さ（Ｌ1）の１／４以上の位置にあると、積み重ねたり、並べたりした際の荷姿の安定性が向上する。さらに、該脚部７を、平板部２の垂下する垂部３を有する長辺と対向する長辺の近傍に配置すると、積み重ねた際の荷姿の安定性が向上する。
【００２２】
図６に、本発明の建材の別の実施形態の構成を示す。図中（ａ）は裏面図を、（ｂ）に２枚の建材を重ね合わせた梱包単位の側面図を示す。尚、（ｂ）においては便宜上垂部３を省略する。
【００２３】
本例の建材においては、一対の脚部７が横方向ラップ部４を含む長手方向の中心から左右等距離の位置にあり、かかる距離Ｃにある脚部７以外の脚部７は長手方向の中心から反対側の等距離に位置する脚部７がないため、図６（ｂ）に示すように２枚の建材を垂部３同士をつき合わせ、裏面同士を相対して重ね合わせた際に、上記距離Ｃにある脚部７同士はつき合わさるが、他の脚部７は浮いたままとなる。
【００２４】
図２に示した例では、２対の脚部７が横方向ラップ部４を含む長手方向の中心から左右等距離の位置にあったが、本発明においては、図６に示されるように、横方向ラップ部４を含む長手方向の中心から左右等距離の位置にある脚部対は少なくとも１対あれば良い。脚部の数は建材の質量、寸法、強度、さらには施工中又は施工後の建材に働く外力、例えば風荷重や積雪荷重、施工中の積載荷重などを考慮して適宜設計すればよい。
【００２５】
また、図６の如く横方向ラップ部４を含む長手方向の中心から左右等距離の位置にある脚部が一対の場合には、かかる一対の脚部の上記中心からの距離（Ｃ）が、上記したように、横方向ラップ部４を含む長手方向の長さ（Ｌ1）の１／４以上であることが好ましい。
【００２６】
本発明の建材は、建物の屋根や外壁の外装部材や、内壁の内装部材として用いられるものであり、セメント系の素材を型を用いてプレス成形して得られるが、素材としては、瓦用の粘土、金属、合成樹脂などのいずれでも良く、型への流し込みによって成形しても良い。また、板金を折り曲げて立体的に成形したり、脚部や垂部、横方向ラップ部については、平板部とは別に成形して、ボルトやリベット、溶接などによって後付しても良い。また、板金の裏側に、発泡ポリスチレンや発泡ポリエチレン、発泡ウレタンなどの裏打ち材を敷設したものを用いても良い。さらに、平板部の表面は平滑でもよいが、意匠性を良くするために凹凸を有する模様をつけても良い。また、建材表面に塗装を施して意匠性を高めても良い。
【００２７】
図７に本発明の建材１を屋根に取り付けた状態の部分斜視図を、図８にその状態での軒・棟方向の断面模式図を、図９に外壁に取り付けた状態の鉛直方向の断面模式図を示す。図中、８は屋根の野地板、９は外壁の下地材である。尚、屋根の野地板８や外壁の下地材９の上には防水シートが敷設される場合もある。
【００２８】
本発明の建材は、図７〜図９に示すように、長手方向を水平方向として横方向ラップ部に隣接する建材の平板部を重ね合わせて平板部が連続するように並べ、屋根の場合には軒・棟方向においては垂部を軒側に向け、該垂部を軒側に配置した建材の平板部の上に載せて並べる。また、壁に用いる場合には垂部を下方に向け、該垂部を下方に配置した建材の平板部の上に載せて並べる。かかる建材１は止着孔（図１の５）を介して釘やビスで野地板８や下地材９に固定される。
【００２９】
本発明の建材１は脚部を有していることから、建材１と野地板８や下地材９との間に通気層が形成されるため、建材１や野地板８、下地材９の湿気による腐食を防ぐことができる。また、建材１の継ぎ目から建材１と野地板８や下地材９の間に雨水などが浸入しても、建材１で水を塞き止めることがなく、速やかに軒側に排出することができる。
【００３０】
また、本発明の建材１は、垂部を有していることから建材の見かけの厚さを実際の素材の厚さ以上に見せることができる。例えば、平板部の厚さが４〜９ｍｍであっても、垂部の高さ（図３のｔ1）を２５ｍｍにすれば、施工後の建材の見かけ上の厚さは２５ｍｍとなる。これにより、建材を軽量化すると同時に重量感を表現することができ、意匠上、有利である。
【００３１】
本発明の建材は、屋根材として好ましく用いられるものであるが、さらに、表面に太陽電池パネルを搭載した形態でも好ましく用いられるものである。
【産業上の利用可能性】
【００３２】
本発明は、建物の屋根や外壁、内壁に用いられる建材に適用される。
【図面の簡単な説明】
【００３３】
【図１】本発明の脚部付き建材の斜視図である。
【図２】本発明の脚部付き建材の平面図、裏面図及び側面図である。
【図３】本発明の脚部付き建材の側面図である。
【図４】本発明の脚部付き建材の梱包単位の側面図である。
【図５】本発明の脚部付き建材を複数の梱包単位で積み重ねた状態を示す図である。
【図６】図１とは異なる構成の本発明の脚部付き建材を示す図である。
【図７】本発明の脚部付き建材を屋根に取り付けた状態を示す部分斜視図である。
【図８】本発明の脚部付き建材を屋根に取り付けた状態の断面模式図である。
【図９】本発明の脚部付き建材を外壁に取り付けた状態の断面模式図である。
【図１０】従来の脚部付き建材を示す図である。
【図１１】従来の脚部付き建材を複数の梱包単位で積み重ねた状態を示す図である。
【図１２】従来の脚部付き建材を複数の梱包単位で積み重ねた状態を示す図である。
【図１３】従来の脚部付き建材を複数積み重ねた状態を示す図である。
【図１４】本発明の脚部付き建材２枚を水平方向に並べた際の横方向ラップ部と平板部との重合部分における断面模式図である。
【符号の説明】
【００３４】
１  脚部付き建材
２、２ａ、２ｂ  平板部
３  垂部
４、４ａ  横方向ラップ部
５  止着孔
６  空間
７  脚部
８  野地板
９  下地材
【図１】
2008127934.tif 000003
【図２】
2008127934.tif 000004
【図３】
2008127934.tif 000005
【図４】
2008127934.tif 000006
【図５】
2008127934.tif 000007
【図６】
2008127934.tif 000008
【図７】
2008127934.tif 000009
【図８】
2008127934.tif 000010
【図９】
2008127934.tif 000011
【図１０】
2008127934.tif 000012
【図１１】
2008127934.tif 000013
【図１２】
2008127934.tif 000014
【図１３】
2008127934.tif 000015
【図１４】
2008127934.tif 000016